(57)【要約】【課題】学習状況を容易に把握することができる学習支援システムの実現。【解決手段】問題、解答、各問題の所属ページを登録した問題データベース64と、背景色が表示された背景色表示領域74と、問題と、解答入力欄72が表示された問題ページ画面70を表示部62に出力する手段と、問題ページと、各問題ページに対応する背景色の種類を関連付けて登録しておく背景色情報データベース66と、解答入力欄72に入力された解答の正誤判定を行う手段と、問題ページの全ての問題に正答した場合に、背景色情報データベース66に登録された次の問題ページの背景色が表示された背景色表示領域74と、問題データベース64から抽出した次の問題ページの問題と、上記問題の解答入力欄が表示された次の問題ページ画面78を表示部62に出力する手段を備えた。【選択図】図９
2020077011.tif 000002
【特許請求の範囲】
【請求項１】
問題、各問題の解答及び上記各問題の所属ページを関連付けて登録しておく問題記憶手段と、
所定色の背景色が表示された背景色表示領域と、上記問題記憶手段から抽出した問題と、上記問題の解答入力欄が表示された所定の問題ページ画面を表示部に出力する手段と、
問題ページと、各問題ページに対応する背景色の種類とを関連付けて背景色情報として登録しておく背景色情報記憶手段と、
上記問題記憶手段内の解答を参照して解答入力欄に入力された解答の正誤判定を行う手段と、
上記問題ページの全ての問題に正答した場合に、上記背景色情報記憶手段に登録された次の問題ページの背景色が表示された背景色表示領域と、上記問題記憶手段から抽出した次の問題ページの問題と、上記問題の解答入力欄が表示された次の問題ページ画面を表示部に出力する手段と、
を備えたことを特徴とする学習支援システム。
【請求項２】
問題、各問題の解答及び上記各問題の所属ページを関連付けて登録しておく問題記憶手段と、
所定色の背景色が表示された背景色表示領域と、上記問題記憶手段から抽出した問題と、上記問題の解答入力欄が表示された所定の問題ページ画面を表示部に出力する手段と、
上記問題記憶手段内の解答を参照して解答入力欄に入力された解答の正誤判定を行う手段と、
上記問題ページ画面の全ての問題の解答に要した解答時間を登録する解答時間記憶手段と、
解答時間と上記解答時間に対応する背景色の種類とを関連付けて背景色情報として登録しておく背景色情報記憶手段と、
上記背景色情報記憶手段内の背景色情報を参照し、上記背景色表示領域の背景色を、上記解答時間記憶手段に登録された解答時間に対応する背景色に変更する手段と、
を備えたことを特徴とする学習支援システム。
【請求項３】
問題、各問題の解答及び上記各問題の所属ページを関連付けて登録しておく問題記憶手段と、
所定色の背景色が表示された背景色表示領域と、上記問題記憶手段から抽出した問題と、上記問題の解答入力欄が表示された所定の問題ページ画面を表示部に出力する手段と、
上記問題記憶手段内の解答を参照して解答入力欄に入力された解答の正誤判定を行う手段と、
各問題の正答情報又は誤答情報を登録する正誤情報記憶手段と、
上記正誤情報記憶手段内の正誤情報を参照し、正答率を算出する手段と、
問題の正答率と上記正答率に対応する背景色の種類とを関連付けて背景色情報として登録しておく背景色情報記憶手段と、
上記背景色情報記憶手段内の背景色情報を参照し、上記背景色表示領域の背景色を、算出した正答率に対応する背景色に変更する手段と、
を備えたことを特徴とする学習支援システム。
【請求項４】
コンピュータを、
問題、各問題の解答及び上記各問題の所属ページを関連付けて登録しておく問題記憶手段、
所定色の背景色が表示された背景色表示領域と、上記問題記憶手段から抽出した問題と、上記問題の解答入力欄が表示された所定の問題ページ画面を表示部に出力する手段、
問題ページと、各問題ページに対応する背景色の種類とを関連付けて背景色情報として登録しておく背景色情報記憶手段、
上記問題記憶手段内の解答を参照して解答入力欄に入力された解答の正誤判定を行う手段、
上記問題ページの全ての問題に正答した場合に、上記背景色情報記憶手段に登録された次の問題ページの背景色が表示された背景色表示領域と、上記問題記憶手段から抽出した次の問題ページの問題と、上記問題の解答入力欄が表示された次の問題ページ画面を表示部に出力する手段、
として機能させることを特徴とする学習支援プログラム。
【請求項５】
コンピュータを、
問題、各問題の解答及び上記各問題の所属ページを関連付けて登録しておく問題記憶手段、
所定色の背景色が表示された背景色表示領域と、上記問題記憶手段から抽出した問題と、上記問題の解答入力欄が表示された所定の問題ページ画面を表示部に出力する手段、
上記問題記憶手段内の解答を参照して解答入力欄に入力された解答の正誤判定を行う手段、
上記問題ページ画面の全ての問題の解答に要した解答時間を登録する解答時間記憶手段、
解答時間と上記解答時間に対応する背景色の種類とを関連付けて背景色情報として登録しておく背景色情報記憶手段、
上記背景色情報記憶手段内の背景色情報を参照し、上記背景色表示領域の背景色を、上記解答時間記憶手段に登録された解答時間に対応する背景色に変更する手段、
として機能させることを特徴とする学習支援プログラム。
【請求項６】
コンピュータを、
問題、各問題の解答及び上記各問題の所属ページを関連付けて登録しておく問題記憶手段、
所定色の背景色が表示された背景色表示領域と、上記問題記憶手段から抽出した問題と、上記問題の解答入力欄が表示された所定の問題ページ画面を表示部に出力する手段、
上記問題記憶手段内の解答を参照して解答入力欄に入力された解答の正誤判定を行う手段、
各問題の正答情報又は誤答情報を登録する正誤情報記憶手段、
上記正誤情報記憶手段内の正誤情報を参照し、正答率を算出する手段、
問題の正答率と上記正答率に対応する背景色の種類とを関連付けて背景色情報として登録しておく背景色情報記憶手段、
上記背景色情報記憶手段内の背景色情報を参照し、上記背景色表示領域の背景色を、算出した正答率に対応する背景色に変更する手段、
として機能させることを特徴とする学習支援プログラム。
【発明の詳細な説明】
【技術分野】
【０００１】
この発明は学習支援システム及び学習支援プログラムに係り、特に、児童・生徒（以下、学習者と称する）がタブレット端末等の情報端末を使用して学習する場合において、小中学校等の先生が各学習者の学習状況を容易に把握することができる学習支援システム及び学習支援プログラムに関する。
【背景技術】
【０００２】
近年、小中学校等の教育現場において、先生の負担軽減、効率的な授業運営の実現等の観点から、情報通信技術（ＩＣＴ＝Information and Communication Technology）を活用した教育（ＩＣＴ教育）の普及が開始されており、例えば、各学習者はタッチパネルを備えたタブレット端末を使用して学習すると共に、先生は表示画面を備えた電子黒板を使用して学習指導することが行われている（非特許文献１参照）。
【先行技術文献】
【非特許文献】
【０００３】
【非特許文献１】小中学校で本格的な「ICT教育」が始まります−大府市  インターネットURL：https://www.city.obu.aichi.jp/cmsfiles/contents/0000027/27674/ictkyoiku.pdf  検索日：２０１６年５月１３日
【発明の概要】
【発明が解決しようとする課題】
【０００４】
タブレット端末及び電子黒板を活用した上記ＩＣＴ教育では、問題の解答等を入力した複数の学習者のタブレット端末の画面を、電子黒板の表示画面に一覧表示した上で、先生が各学習者の正答・誤答等の学習状況を確認しつつ学習指導を行うことがある。
【０００５】
また、タブレット端末の画面に表示された問題を学習者に解かせている際に、先生が学習者の机の間を巡回し、各学習者の学習状況を把握しながら学習指導（机間指導）を行うことがある。
【０００６】
しかしながら、１クラス２０〜４０名もいる学習者のタブレット端末の画面を、電子黒板の表示画面に一覧表示した場合、表示される各学習者の画面が非常に小さくなってしまうため、各学習者の学習状況を迅速に把握することが困難であった。
【０００７】
また、机間指導を行う場合にも、先生が各学習者のタブレット端末の画面を覗き込まないと各学習者の学習状況を把握することが困難であった。
【０００８】
本発明は、上記問題点に鑑みて案出されたものであり、その目的は、各学習者の学習状況を容易に把握することができる学習支援システム及び学習支援プログラムを実現することにある。
【課題を解決するための手段】
【０００９】
上記の目的を達成するため、請求項１に記載の学習支援システムは、
問題、各問題の解答及び上記各問題の所属ページを関連付けて登録しておく問題記憶手段と、
所定色の背景色が表示された背景色表示領域と、上記問題記憶手段から抽出した問題と、上記問題の解答入力欄が表示された所定の問題ページ画面を表示部に出力する手段と、
問題ページと、各問題ページに対応する背景色の種類とを関連付けて背景色情報として登録しておく背景色情報記憶手段と、
上記問題記憶手段内の解答を参照して解答入力欄に入力された解答の正誤判定を行う手段と、
上記問題ページの全ての問題に正答した場合に、上記背景色情報記憶手段に登録された次の問題ページの背景色が表示された背景色表示領域と、上記問題記憶手段から抽出した次の問題ページの問題と、上記問題の解答入力欄が表示された次の問題ページ画面を表示部に出力する手段と、
を備えたことを特徴とする。
【００１０】
請求項２に記載の学習支援システムは、
問題、各問題の解答及び上記各問題の所属ページを関連付けて登録しておく問題記憶手段と、
所定色の背景色が表示された背景色表示領域と、上記問題記憶手段から抽出した問題と、上記問題の解答入力欄が表示された所定の問題ページ画面を表示部に出力する手段と、
上記問題記憶手段内の解答を参照して解答入力欄に入力された解答の正誤判定を行う手段と、
上記問題ページ画面の全ての問題の解答に要した解答時間を登録する解答時間記憶手段と、
解答時間と上記解答時間に対応する背景色の種類とを関連付けて背景色情報として登録しておく背景色情報記憶手段と、
上記背景色情報記憶手段内の背景色情報を参照し、上記背景色表示領域の背景色を、上記解答時間記憶手段に登録された解答時間に対応する背景色に変更する手段と、
を備えたことを特徴とする。
【００１１】
請求項３に記載の学習支援システムは、
問題、各問題の解答及び上記各問題の所属ページを関連付けて登録しておく問題記憶手段と、
所定色の背景色が表示された背景色表示領域と、上記問題記憶手段から抽出した問題と、上記問題の解答入力欄が表示された所定の問題ページ画面を表示部に出力する手段と、
上記問題記憶手段内の解答を参照して解答入力欄に入力された解答の正誤判定を行う手段と、
各問題の正答情報又は誤答情報を登録する正誤情報記憶手段と、
上記正誤情報記憶手段内の正誤情報を参照し、正答率を算出する手段と、
問題の正答率と上記正答率に対応する背景色の種類とを関連付けて背景色情報として登録しておく背景色情報記憶手段と、
上記背景色情報記憶手段内の背景色情報を参照し、上記背景色表示領域の背景色を、算出した正答率に対応する背景色に変更する手段と、
を備えたことを特徴とする。
【００１２】
請求項４に記載の学習支援プログラムは、
コンピュータを、
問題、各問題の解答及び上記各問題の所属ページを関連付けて登録しておく問題記憶手段、
所定色の背景色が表示された背景色表示領域と、上記問題記憶手段から抽出した問題と、上記問題の解答入力欄が表示された所定の問題ページ画面を表示部に出力する手段、
問題ページと、各問題ページに対応する背景色の種類とを関連付けて背景色情報として登録しておく背景色情報記憶手段、
上記問題記憶手段内の解答を参照して解答入力欄に入力された解答の正誤判定を行う手段、
上記問題ページの全ての問題に正答した場合に、上記背景色情報記憶手段に登録された次の問題ページの背景色が表示された背景色表示領域と、上記問題記憶手段から抽出した次の問題ページの問題と、上記問題の解答入力欄が表示された次の問題ページ画面を表示部に出力する手段、
として機能させることを特徴とする。
【００１３】
請求項５に記載の学習支援プログラムは、
コンピュータを、
問題、各問題の解答及び上記各問題の所属ページを関連付けて登録しておく問題記憶手段、
所定色の背景色が表示された背景色表示領域と、上記問題記憶手段から抽出した問題と、上記問題の解答入力欄が表示された所定の問題ページ画面を表示部に出力する手段、
上記問題記憶手段内の解答を参照して解答入力欄に入力された解答の正誤判定を行う手段、
上記問題ページ画面の全ての問題の解答に要した解答時間を登録する解答時間記憶手段、
解答時間と上記解答時間に対応する背景色の種類とを関連付けて背景色情報として登録しておく背景色情報記憶手段、
上記背景色情報記憶手段内の背景色情報を参照し、上記背景色表示領域の背景色を、上記解答時間記憶手段に登録された解答時間に対応する背景色に変更する手段、
として機能させることを特徴とする。
【００１４】
請求項６に記載の学習支援プログラムは、
コンピュータを、
問題、各問題の解答及び上記各問題の所属ページを関連付けて登録しておく問題記憶手段、
所定色の背景色が表示された背景色表示領域と、上記問題記憶手段から抽出した問題と、上記問題の解答入力欄が表示された所定の問題ページ画面を表示部に出力する手段、
上記問題記憶手段内の解答を参照して解答入力欄に入力された解答の正誤判定を行う手段、
各問題の正答情報又は誤答情報を登録する正誤情報記憶手段、
上記正誤情報記憶手段内の正誤情報を参照し、正答率を算出する手段、
問題の正答率と上記正答率に対応する背景色の種類とを関連付けて背景色情報として登録しておく背景色情報記憶手段、
上記背景色情報記憶手段内の背景色情報を参照し、上記背景色表示領域の背景色を、算出した正答率に対応する背景色に変更する手段、
として機能させることを特徴とする。
【発明の効果】
【００１５】
請求項１に記載した学習支援システム及び請求項４に記載した学習支援プログラムにあっては、背景色情報記憶手段内に、問題ページと、各問題ページに対応する背景色の種類とを関連付けて登録しておき、所定の問題ページの全ての問題に正答した場合に、背景色情報記憶手段に登録された次の問題ページの背景色が表示された背景色表示領域と、問題記憶手段から抽出した次の問題ページの問題と、上記問題の解答入力欄が表示された次の問題ページ画面を表示部に出力するよう構成したので、複数の学習者のタブレット端末等の画面を電子黒板の表示画面に一覧表示した場合や、先生が机間指導を行う場合にあっても、背景色表示領域の背景色を見ることよって、各児童の学習状況を容易に把握することができる。
【００１６】
請求項２に記載した学習支援システム及び請求項５に記載した学習支援プログラムにあっては、背景色情報記憶手段内に、解答時間と上記解答時間に対応する背景色の種類とを関連付けて登録しておき、問題ページ画面の背景色表示領域の背景色を、学習者の解答時間に対応する背景色に変更するよう構成したので、複数の学習者のタブレット端末等の画面を電子黒板の表示画面に一覧表示した場合や、先生が机間指導を行う場合にあっても、背景色表示領域の背景色を見ることよって、各児童の学習状況を容易に把握することができる。
【００１７】
請求項３に記載した学習支援システム及び請求項６に記載した学習支援プログラムにあっては、背景色情報記憶手段内に、問題の正答率と上記正答率に対応する背景色の種類とを関連付けて登録しておき、問題ページ画面の背景色表示領域の背景色を、学習者の正答率に対応する背景色に変更するよう構成したので、複数の学習者のタブレット端末等の画面を電子黒板の表示画面に一覧表示した場合や、先生が机間指導を行う場合にあっても、背景色表示領域の背景色を見ることよって、各児童の学習状況を容易に把握することができる。
【発明を実施するための形態】
【００１８】
図１は、本発明に係る第１の学習支援システム10の機能構成を示すブロック図であり、制御部12と記憶部14を備えている。
【００１９】
上記制御部12は、学習者が使用する情報端末（コンピュータ）としてのタブレット端末やパソコン等のコンピュータのＣＰＵが、ＯＳ及び専用のアプリケーションプログラムに従って必要な処理を実行することによって実現され、後述する各種機能を実行する。
【００２０】
上記制御部12には、入力部18から入力された指令が、インターフェースとして機能する入出力制御部16を介して入力されると共に、制御部12から出力された指令が、入出力制御部16を介して表示部20に出力される。
上記入力部18としては、手書及びタッチペンでの入力可能なタッチ入力機能を有するタブレット端末やパソコンのタッチパネル等が該当する。
また、上記表示部20としては、タブレット端末やパソコンのタッチパネル等が該当する。
【００２１】
上記記憶部14は、記憶手段としてのお手本画像データベース22、背景色情報データベース24、回数情報記憶部26、画面定義記憶部28を備えている。
上記お手本画像データベース22、背景色情報データベース24、回数情報記憶部26、画面定義記憶部28は、タブレット端末やパソコン等の情報処理端末を構成するハードディスク等の記憶装置内に格納されている。
【００２２】
上記お手本画像データベース22には、「漢字」、「カタカナ文字」、「平仮名文字」、「ローマ字」、「図形」等、学習対象である文字・図形のお手本画像が、学習学年と関連付けて登録されている。
【００２３】
上記画面定義記憶部28は、本システム10が上記表示部20の表示画面に表示する各種画面の画面定義情報（例えば、表示する項目情報やそのレイアウト情報及び入力編集可否情報等）を記憶した記憶部である。
【００２４】
以下において、第１の学習支援システム10を用いて学習者である小学校の児童が「漢字の指書きレッスン」を行う場合の処理手順を図１のブロック図及び図２のフローチャートに基づいて説明する。
尚、「漢字の指書きレッスン」とは、各児童が使用するタブレット端末のタッチパネル（表示部20）の表示画面に表示された「漢字のお手本画像」を指やタッチペンを使って「なぞり書き」を行うレッスンのことであり、お手本画像の「なぞり書き」を繰り返し行うことにより、漢字の字形・書き順等を正しく習得することができる。
【００２５】
図３は、表示部20としてのタッチパネルの表示画面に表示された「漢字の指書きレッスン」のスタート画面30を示すものであり、指書き用の描画領域32、上記描画領域32の左右に配置された背景色表示領域34、なぞり書き回数を表示する回数表示部36等が設けられている。
「漢字の指書きレッスン」の上記スタート画面30は、制御部12が画面定義記憶部28に登録されているスタート画面30の画面定義情報を読み出して図３のスタート画面30を生成し、表示部20の表示画面に出力・表示するのである。
【００２６】
児童が、上記スタート画面30中の「おてほん」ボタン38をタッチ入力すると、制御部12は、図４に示すお手本選択画面40を表示部20の表示画面に出力する（Ｓ10）。
図４のお手本選択画面40には、「漢字」、「カタカナ文字」、「平仮名文字」、「ローマ字」、「図形」の５種類のお手本画像と学習学年を選択するための「お手本選択領域42」が設けられている。
【００２７】
図４のお手本選択画面32において、児童が、お手本として「漢字」、学年として「１ねん」をタッチ入力すると、これを受けた制御部12は、お手本画像データベース22内から学習学年１年と関連付けて登録されている漢字のお手本画像を抽出し、図５に示すお手本画像一覧画面44を表示部20の表示画面に出力する（Ｓ12）。
図５に示す通り、お手本画像一覧画面44には、小学校の１年で学習する漢字のお手本画像46が一覧化されて表示されている。
【００２８】
図５のお手本画像一覧画面44において、児童が「指書きレッスン」をする漢字として、例えば「大」を選択してタッチ入力すると、これを受けた制御部12は、図６に示すように、指書き用の描画領域32上に漢字「大」のお手本画像46を配置して成る「なぞり書きレッスン画面48」を生成して表示部20の表示画面に出力する（Ｓ14）。
図６に示す通り、漢字「大」のお手本画像46には、１・２・３という筆順を示す筆順番号表示、及び、「はらう」等の字形特定表示が付加されている。尚、字形特定表示としては、上記「はらう」以外に、とめ・はね・曲げる等の表示がある。
【００２９】
なぞり書きレッスン画面48の描画領域32の左右には背景色表示領域34が配置されると共に、なぞり書き回数を表示する回数表示部36が設けられている。
図６のなぞり書きレッスン画面48においては、レッスン開始前であるため回数表示部36の回数は「０回」と表示されており、また、この場合の背景色表示領域34は赤色の背景色34Rと成されている。
すなわち、上記背景色情報データベース24（図１参照）には、「なぞり書き回数」と、各なぞり書き回数に対応する「背景色の種類」とを関連付けて背景色情報として登録しており、制御部12は各なぞり書き回数に対応する背景色を背景色表示領域34に表示するのである。
第１の学習支援システム10の場合には、「０回〜３回までは赤色の背景色」、「４回目〜６回までは黄色の背景色」が登録されている。勿論、同色の背景色を適用する回数の範囲を変えたり、各回毎に背景色を変更することも可能である。
【００３０】
児童は、図７に示すように、なぞり書きレッスン画面48において、描画領域32に配置された漢字「大」のお手本画像46を指を使って「なぞり書き」を行い、完了後に「ＯＫ」ボタン50をタッチ入力する。
これを受けて制御部12は、描画領域32に記述された児童のなぞり書きデータを消去し（Ｓ16）、また、漢字「大」のなぞり書き回数を回数情報記憶部26に登録する（Ｓ18）。図６の場合は１回目の「なぞり書き」であることから、回数情報記憶部26には漢字「大」のなぞり書き回数として「１」が登録されることとなる。
【００３１】
次に、制御部12は、背景色情報データベース24内に登録されている「なぞり書き回数に対応する背景色情報」を参照し（Ｓ20）、回数情報記憶部26に登録された「なぞり書き回数」が、背景色表示領域34に表示されている背景色34Rの変更に該当する否かを確認する（Ｓ22）。
すなわち、制御部12は、回数情報記憶部26に登録された「なぞり書き回数に対応する背景色」と、背景色表示領域34に既に表示されている背景色34R（図６）とが一致するか否かを確認し、一致する場合には背景色の変更には該当せず、不一致の場合には背景色の変更に該当すると判断する。
上記の通り、背景色情報データベース24内には、「０回〜３回までの背景色は赤色」が登録されており、なぞり書き回数が「１」の場合には、「なぞり書き回数に対応する背景色（赤色）」と「背景色表示領域34に表示されている背景色34R（図６）」とが一致することから、Ｓ22において背景色の変更に該当せず、従って、図６の背景色が変更されることはなく、赤色34Rのまま維持される。
【００３２】
一方、児童が漢字「大」の「なぞり書き」を繰り返し行い、回数情報記憶部26に漢字「大」のなぞり書き回数として「４」が登録された場合、上記の通り、背景色情報データベース24内には、「４回〜６回までの背景色は黄色」が登録されており、「なぞり書き回数に対応する背景色（黄色）」と「背景色表示領域34に表示されている背景色34R（図６）」とが不一致であることから、Ｓ22において背景色の変更に該当することとなる。
そこで、制御部12は、図８に示す通り、なぞり書きレッスン画面48における背景色表示領域34を赤色の背景色34Rから黄色の背景色34Yに変更する（Ｓ24）のである。また、回数表示部36の回数を回数情報記憶部26に登録されている「４回」に変更する。
【００３３】
上記第１の学習支援システム10にあっては、背景色情報データベース24内に、文字・図形のお手本画像の「なぞり書き回数」と、各なぞり書き回数に対応する「背景色の種類」とを関連付けて登録しておき、児童の「なぞり書き回数」に対応する背景色をなぞり書きレッスン画面48の背景色表示領域34に表示するよう構成したので、複数の児童のタブレット端末の画面を電子黒板の表示画面に一覧表示した場合や、先生が机間指導を行う場合にあっても、背景色表示領域34の背景色を見ることよって、各児童の学習状況を容易に把握することができる。
【００３４】
図９は、本発明に係る第２の学習支援システム52の機能構成を示すブロック図であり、制御部54と記憶部56を備えている。
【００３５】
上記制御部54は、学習者が使用する情報端末としてのタブレット端末やパソコン等のコンピュータのＣＰＵが、ＯＳ及び専用のアプリケーションプログラムに従って必要な処理を実行することによって実現され、後述する各種機能を実行する。
【００３６】
上記制御部54には、入力部60から入力された指令が、インターフェースとして機能する入出力制御部58を介して入力されると共に、制御部54から出力された指令が、入出力制御部58を介して表示部62に出力される。
上記入力部60としては、手書及びタッチペンでの入力可能なタッチ入力機能を有するタブレット端末やパソコンのタッチパネル、ソフトウェアキーボード、パソコンの物理キーボード、マウス等が該当する。
また、上記表示部62としては、タブレット端末やパソコンのタッチパネル、パソコンの液晶パネル等が該当する。
【００３７】
上記記憶部56は、記憶手段としての問題データベース64、背景色情報データベース66、画面定義記憶部68を備えている。
上記問題データベース64、背景色情報データベース66、画面定義記憶部68は、タブレット端末やパソコン等の情報処理端末を構成するハードディスク等の記憶装置内に格納されている。
【００３８】
上記問題データベース64には、例えば、「算数の計算問題」等、問題、各問題の解答、上記各問題の所属ページが相互に関連付けられて登録されている。
【００３９】
上記画面定義記憶部68は、本システム52が上記表示部20の表示画面に表示する各種画面の画面定義情報（例えば、表示する項目情報やそのレイアウト情報及び入力編集可否情報等）を記憶した記憶部である。
【００４０】
以下において、第２の学習支援システム52を用いて学習者である小学校の児童がタブレット端末を使用して「算数の計算問題」を行う場合の処理手順を図９のブロック図及び図１０のフローチャートに基づいて説明する。
【００４１】
図１１は、表示部62としてのタッチパネルの表示画面に表示された第１ページ目の問題ページ画面70を示すものであり、分数の計算問題２問と、各計算問題の解答入力欄72と、上記計算問題及び解答入力欄72の左側及び上側に配置された背景色表示領域74、問題のページ数を表示するページ表示部76、解答の正誤結果を表示する正誤表示部77等が設けられている。
上記第１ページ目の問題ページ画面70は、図示しない問題選択画面から児童が学習対象の問題を選択することにより、制御部54が問題データベース64内に登録されている第１ページの計算問題を抽出すると共に、画面定義記憶部68に登録されている問題ページ画面70の画面定義情報を読み出して図１１の問題ページ画面70を生成し、表示部62の表示画面に出力・表示するのである（Ｓ30）。
【００４２】
図１１の第１ページ目の問題ページ画面70においては、１ページ目であることを示すページ表示部76の「１」を囲繞する枠内が青色76Bに表示されており、また、背景色表示領域74はピンク色の背景色74Pと成されている。
すなわち、上記背景色情報データベース66（図９参照）には、「問題ページ」と、各問題ページに対応する「背景色の種類」とを関連付けて背景色情報として登録しており、制御部54は各問題ページに対応する背景色を背景色表示領域74に表示するのである。
第２の学習支援システム52の場合には、「１ページ目の問題ページはピンク色の背景色」、「２ページ目の問題ページは青色の背景色」、「３ページ目の問題ページは赤色の背景色」が登録されており、従って、図１１の第１ページ目の問題ページ画面70の背景色表示領域74はピンク色の背景色74Pと成されているのである。
尚、例えば、１ページ目と２ページ目を同色の背景色とし、３ページ目及び４ページ目を上記１ページ目・２ページ目と異なる背景色にする等、複数の問題ページを同色の背景色にすることも勿論可能である。
また、図１１の第１ページ目の問題ページ画面70においては、解答入力欄72に解答が未入力のため、正誤表示部77には「未」が表示されている。
【００４３】
児童は、タブレット端末のソフトウェアキーボード（図示省略）を用いて、各計算問題の解答入力欄72に解答を入力する。
解答の入力を受けた制御部54は、問題データベース64内の解答を参照して正誤判定を行う（Ｓ32）。
ここで、解答が不正解（Ｎ）場合、制御部54は、図１２に示すように、正誤表示部77に不正解であることを示す記号「×」を出力・表示し（Ｓ34）、また、解答入力欄72に入力された解答データを消去する（Ｓ36）。この結果、児童は、再度、不正解だった計算問題を解くこととなる。
一方、解答が正解（Ｙ）場合、制御部54は、図１３に示すように、正誤表示部77に正解であることを示す記号「○」を出力・表示する（Ｓ38）。この結果、児童は、次の計算問題を解くこととなる。
【００４４】
児童が、第１ページ目の問題ページ画面70に表示された２問の計算問題を全て正答すると、制御部54は、背景色情報データベース66内に登録されている「２ページ目の問題ページに対応する背景色情報」を参照する（Ｓ40）。上記の通り、背景色情報データベース66内には、「２ページ目の問題ページは青色の背景色」が登録されている。
次に、制御部54は、問題データベース64内に登録されている第２ページ目の計算問題を抽出（Ｓ42）した上で、Ｓ40で参照した「２ページ目の問題ページの背景色情報（青色）」に従って、図１４に示す第２ページ目の問題ページ画面78を生成し、表示部62の表示画面に出力・表示するのである（Ｓ44）。
【００４５】
図１４の第２ページ目の問題ページ画面78においては、問題データベース64内から抽出した第２ページ目の計算問題２問が表示されていると共に、背景色表示領域74には、背景色情報データベース66内を参照した青色の背景色74Bが表示されている。
また、２ページ目であることを示すページ表示部76の「２」を囲繞する枠内が青色76Bに表示されている。
【００４６】
上記第２の学習支援システム52にあっては、背景色情報データベース66内に、「問題ページ」と、各問題ページに対応する「背景色の種類」とを関連付けて登録しておき、第１ページ目の問題ページ画面70に表示された全ての問題に正答した場合に、背景色情報データベース66内に登録された次のページ（第２ページ目）の背景色74Bが表示された背景色表示領域74と、問題データベース64内から抽出した第２ページ目の計算問題と、上記問題の解答入力欄72が表示された第２ページ目の問題ページ画面78を表示するよう構成したので、複数の児童のタブレット端末の画面を電子黒板の表示画面に一覧表示した場合や、先生が机間指導を行う場合にあっても、背景色表示領域74の背景色を見ることよって、各児童の学習状況を容易に把握することができる。
【００４７】
図１５は、本発明に係る第３の学習支援システム80の機能構成を示すブロック図であり、制御部82と記憶部84を備えている。
【００４８】
上記制御部82は、学習者が使用する情報端末としてのタブレット端末やパソコン等のコンピュータのＣＰＵが、ＯＳ及び専用のアプリケーションプログラムに従って必要な処理を実行することによって実現され、後述する各種機能を実行する。
【００４９】
上記制御部82には、入力部88から入力された指令が、インターフェースとして機能する入出力制御部86を介して入力されると共に、制御部82から出力された指令が、入出力制御部86を介して表示部90に出力される。
上記入力部88としては、手書及びタッチペンでの入力可能なタッチ入力機能を有するタブレット端末やパソコンのタッチパネル、ソフトウェアキーボード、パソコンの物理キーボード、マウス等が該当する。
また、上記表示部90としては、タブレット端末やパソコンのタッチパネル、パソコンの液晶パネル等が該当する。
【００５０】
上記記憶部84は、問題データベース92、背景色情報データベース94、解答時間記憶部96、画面定義記憶部98を備えている。
上記問題データベース92、背景色情報データベース94、解答時間記憶部96、画面定義記憶部98は、タブレット端末やパソコン等の情報処理端末を構成するハードディスク等の記憶装置内に格納されている。
【００５１】
上記問題データベース92には、例えば、「算数の計算問題」等、問題、各問題の解答、上記各問題の所属ページが相互に関連付けられて登録されている。
【００５２】
上記画面定義記憶部98は、本システム80が上記表示部90の表示画面に表示する各種画面の画面定義情報（例えば、表示する項目情報やそのレイアウト情報及び入力編集可否情報等）を記憶した記憶部である。
【００５３】
以下において、第３の学習支援システム80を用いて学習者である小学校の児童がタブレット端末を使用して「算数の計算問題」を行う場合の処理手順を図１５のブロック図及び図１６のフローチャートに基づいて説明する。
【００５４】
図１７は、表示部90としてのタッチパネルの表示画面に表示された「計算問題（分数の割り算問題）」のスタート画面100を示すものであり、「スタート／クリックするとはじまります」と表示されたスタートボタン102等が設けられている。
上記スタート画面100は、制御部82が画面定義記憶部98に登録されているスタート画面100の画面定義情報を読み出して図１７のスタート画面100を生成し、表示部90の表示画面に出力・表示するのである。
【００５５】
児童が上記スタート画面100のスタートボタン102をタッチ入力すると、これを受けた制御部82は、問題データベース64内に登録されている第１ページ目の計算問題を抽出（Ｓ50）し、画面定義記憶部98に登録されている問題ページ画面の画面定義情報に従って図１８に示す第１ページ目の問題ページ画面104を生成し、表示部90の表示画面に出力・表示する（Ｓ52）。
また、制御部82は解答時間の計測（カウント）を開始する（Ｓ54）。
【００５６】
図１８の第１ページ目の問題ページ画面104には、分数の計算問題２問と、各計算問題の解答入力欄106と、上記計算問題及び解答入力欄106の左側及び上側に配置された背景色表示領域108、問題のページ数を表示するページ表示部110、解答の正誤結果を表示する正誤表示部112等が設けられている。
【００５７】
図１８に示すように、第１ページ目の問題ページ画面104においては、１ページ目であることを示すページ表示部110の「１」を囲繞する枠内が青色110Bに表示されている。
また、背景色表示領域108には、初期設定状態（デフォルト状態）の背景色であるピンク色の背景色108Pが表示されている。
【００５８】
尚、上記背景色情報データベース94（図１５参照）には、「問題解答に要した時間（以下、解答時間）」と上記解答時間に対応する「背景色の種類」とを関連付けて背景色情報として登録している。
第３の学習支援システム80の場合には、「第１ページ目から第３ページ目迄の問題の解答時間１〜６０秒迄は青色」、「第１ページ目から第３ページ目迄の問題の解答時間６１〜１２０秒迄は黄色」、「第１ページ目から第３ページ目迄の問題の解答時間１２１〜１８０秒迄は赤色」と成されている。
【００５９】
児童は、タブレット端末のソフトウェアキーボード（図示省略）を用いて、各計算問題の解答入力欄106に解答を入力する。
解答の入力を受けた制御部82は、問題データベース92内の解答を参照して正誤判定を行う（Ｓ56）。
ここで、解答が不正解（Ｎ）場合、制御部54は、図１９に示すように、正誤表示部112に不正解であることを示す記号「×」を出力・表示し（Ｓ58）、また、解答入力欄106に入力された解答データを消去する（Ｓ60）。この結果、児童は、再度、不正解だった計算問題を解くこととなる。
一方、解答が正解（Ｙ）場合、制御部54は、図２０に示すように、正誤表示部112に正解であることを示す記号「○」を出力・表示する（Ｓ62）。この結果、児童は、次の計算問題を解くこととなる。
【００６０】
児童が、第１ページ目の問題ページ画面104に表示された２問の計算問題に全て正解すると、上記Ｓ50〜Ｓ52と同様の手順で図示しない第２ページ目の問題ページ画面及び第３ページ目の問題ページ画面（後述する図２１参照）が順次表示され、児童が第１ページ目の問題ページ画面104〜第３ページ目の問題ページ画面（後述する図２１参照）迄の全ての計算問題に正答すると、制御部82は解答時間の計測（カウント）を終了し（Ｓ64）、計測した解答時間を解答時間記憶部96に登録する（Ｓ66）。尚、ここでは解答時間を「６０秒」として説明する。
【００６１】
次に、制御部82は背景色情報データベース94内に登録されている「解答時間６０秒に対応する背景色情報」を参照する（Ｓ68）。
上記の通り、背景色情報データベース94には「解答時間１〜６０秒迄は青色の背景色」として登録されていることから、制御部82は第３ページ目の問題ページ画面（後述する図２１参照）における背景色表示領域108をデフォルト状態のピンク色の背景色108Pから青色の背景色108Bに変更するのである（Ｓ70）。
図２１は背景色が変更された後の第３ページ目の問題ページ画面114を示すものであり、背景色表示領域108には青色の背景色108Bが表示されている。
また、３ページ目であることを示すページ表示部110の「３」を囲繞する枠内が青色110Bに表示されている。
尚、第３ページ目の問題ページ画面114上に、「問題を解くのにかかった時間６０秒」という解答時間を表示するメッセージが表示されている。
【００６２】
尚、本実施例においては、第１ページ目から第３ページ目迄の問題の解答時間を計測した場合を例示したが、これに限定されるものではなく、第１ページ目だけの解答時間を計測しても良く、計測対象の問題ページ数範囲や問題数は任意に設定できるものである。
【００６３】
上記第３の学習支援システム80にあっては、背景色情報データベース94内に、「解答時間」と上記解答時間に対応する「背景色の種類」とを関連付けて登録しておき、問題ページ画面114の背景色表示領域108の背景色を、児童の解答時間に対応する背景色に変更するよう構成したので、複数の児童のタブレット端末の画面を電子黒板の表示画面に一覧表示した場合や、先生が机間指導を行う場合にあっても、背景色表示領域74の背景色を見ることよって、各児童の学習状況を容易に把握することができる。
【００６４】
図２２は、本発明に係る第４の学習支援システム116の機能構成を示すブロック図であり、制御部118と記憶部120を備えている。
【００６５】
上記制御部118は、学習者が使用する情報端末としてのタブレット端末やパソコン等のコンピュータのＣＰＵが、ＯＳ及び専用のアプリケーションプログラムに従って必要な処理を実行することによって実現され、後述する各種機能を実行する。
【００６６】
上記制御部118には、入力部124から入力された指令が、インターフェースとして機能する入出力制御部122を介して入力されると共に、制御部118から出力された指令が、入出力制御部118を介して表示部126に出力される。
上記入力部124としては、手書及びタッチペンでの入力可能なタッチ入力機能を有するタブレット端末やパソコンのタッチパネル、ソフトウェアキーボード、パソコンの物理キーボード、マウス等が該当する。
また、上記表示部126としては、タブレット端末やパソコンのタッチパネル、パソコンの液晶パネル等が該当する。
【００６７】
上記記憶部120は、記憶手段としての問題データベース128、背景色情報データベース130、正誤情報記憶部132、画面定義記憶部134を備えている。
上記問題データベース128、背景色情報データベース130、正誤情報記憶部132、画面定義記憶部134は、タブレット端末やパソコン等の情報処理端末を構成するハードディスク等の記憶装置内に格納されている。
【００６８】
上記問題データベース128には、例えば、「算数の計算問題」等、問題、各問題の解答、上記各問題の所属ページが相互に関連付けられて登録されている。
【００６９】
上記画面定義記憶部134は、本システム116が上記表示部126の表示画面に表示する各種画面の画面定義情報（例えば、表示する項目情報やそのレイアウト情報及び入力編集可否情報等）を記憶した記憶部である。
【００７０】
以下において、第４の学習支援システム116を用いて学習者である小学校の児童がタブレット端末を使用して「算数の計算問題」を行う場合の処理手順を図２２のブロック図及び図２３のフローチャートに基づいて説明する。
【００７１】
図２４は、表示部126としてのタッチパネルの表示画面に表示された第１ページ目の問題ページ画面136を示すものであり、分数の計算問題２問と、各計算問題の解答入力欄138と、上記計算問題及び解答入力欄138の左側及び上側に配置された背景色表示領域140、問題のページ数を表示するページ表示部142、解答の正誤結果を表示する正誤表示部144等が設けられている。
上記第１ページ目の問題ページ画面136は、図示しない問題選択画面から児童が学習対象の問題を選択することにより、制御部118が問題データベース128内に登録されている第１ページの計算問題を抽出すると共に、画面定義記憶部134に登録されている問題ページ画面138の画面定義情報を読み出して図２４の問題ページ画面136を生成し、表示部126の表示画面に出力・表示するのである（Ｓ80）。
【００７２】
図２４に示すように、第１ページ目の問題ページ画面136においては、１ページ目であることを示すページ表示部142の「１」を囲繞する枠内が青色142Bに表示されている。
また、背景色表示領域140には、初期設定状態（デフォルト状態）の背景色であるピンク色の背景色140Pが表示されている。
【００７３】
上記背景色情報データベース130（図２２参照）には、「問題の正答率」と上記正答率に対応する「背景色の種類」とを関連付けて背景色情報として登録している。
第４の学習支援システム116の場合には、例えば、「第１ページ目から第３ページ目迄の合計１０問の問題の正答率６０％未満は赤色」、「第１ページ目から第３ページ目迄の合計１０問の問題の正答率６０％以上〜８０％未満は黄色」、「第１ページ目から第３ページ目迄の合計１０問の問題の正答率８０％〜１００％は青色」と成されている。
【００７４】
児童は、タブレット端末のソフトウェアキーボード（図示省略）を用いて、各計算問題の解答入力欄138に解答を入力する。
解答の入力を受けた制御部118は、問題データベース128内の解答を参照して正誤判定を行う（Ｓ82）。
【００７５】
ここで、解答が不正解（Ｎ）場合、制御部118は、図２５に示すように、正誤表示部144に不正解であることを示す記号「×」を出力・表示する（Ｓ84）。
一方、解答が正解（Ｙ）場合、制御部118は、図２６に示すように、正誤表示部144に正解であることを示す記号「○」を出力・表示する（Ｓ86）。
【００７６】
また、制御部118は、当該計算問題の「正答情報又は誤答情報（以下、正誤情報）」を正誤情報記憶部132に登録する（Ｓ88）。
【００７７】
第１ページ目の問題ページ画面136の問題の解答入力が完了後、図示は省略するが、制御部118は第２ページ目の問題ページ画面、第３ページ目の問題ページ画面を表示画面に順次出力し、児童が解答を入力すると、図２３のＳ82〜Ｓ88の手順と同じ処理が行われる。
【００７８】
児童が第１ページ目の問題ページ画面136〜第３ページ目の問題ページ画面の全ての計算問題の解答を入力すると（Ｓ90）、制御部118は正誤情報記憶部132に登録された正誤情報を参照し（Ｓ92）、正答数を問題数で除する「正答数÷問題数」の演算処理を行って正答率を算出する（Ｓ94）。尚、ここでは「正答率１００％」として説明する。
【００７９】
次に、制御部82は背景色情報データベース130内に登録されている「正答率１００％に対応する背景色情報」を参照する（Ｓ96）。
上記の通り、背景色情報データベース130には「正答率８０％〜１００％は青色の背景色」として登録されていることから、制御部118は第３ページ目の問題ページ画面（後述する図２７参照）における背景色表示領域140をデフォルト状態のピンク色の背景色140Pから青色の背景色140Bに変更するのである（Ｓ98）。
図２７は背景色が変更された後の第３ページ目の問題ページ画面146を示すものであり、背景色表示領域140には青色の背景色140Bが表示されている。
また、３ページ目であることを示すページ表示部142の「３」を囲繞する枠内が青色142Bに表示されている。
尚、第３ページ目の問題ページ画面146上に、「正答率１００％」という正答率を表示するメッセージが表示されている。
【００８０】
尚、本実施例においては、第１ページ目から第３ページ目迄の３ページの範囲の問題の正答率を算出する場合を例示したが、これに限定されるものではなく、第１ページ目だけの正答率を算出しても良く、正答率の算出対象となる問題ページ数の範囲や問題数は任意に設定できるものである。
【００８１】
上記第４の学習支援システム116にあっては、背景色情報データベース130内に、「問題の正答率」と上記正答率に対応する「背景色の種類」とを関連付けて登録しておき、問題ページ画面146の背景色表示領域140の背景色を、児童の正答率に対応する背景色に変更するよう構成したので、複数の児童のタブレット端末の画面を電子黒板の表示画面に一覧表示した場合や、先生が机間指導を行う場合にあっても、背景色表示領域140の背景色を見ることよって、各児童の学習状況を容易に把握することができる。
【図面の簡単な説明】
【００８２】
【図１】本発明に係る第１の学習支援システムの機能構成を示すブロック図
【図２】第１の学習支援システムの処理手順を示すフローチャート
【図３】表示部の表示画面に表示されたスタート画面を示す説明図
【図４】表示部の表示画面に表示されたお手本選択画面を示す説明図
【図５】表示部の表示画面に表示されたお手本画像一覧画面を示す説明図
【図６】表示部の表示画面に表示されたなぞり書きレッスン画面を示す説明図
【図７】表示部の表示画面に表示された「なぞり書き」行ったなぞり書きレッスン画面を示す説明図
【図８】表示部の表示画面に表示された背景色を変更したなぞり書きレッスン画面を示す説明図
【図９】本発明に係る第２の学習支援システムの機能構成を示すブロック図
【図１０】第２の学習支援システムの処理手順を示すフローチャート
【図１１】表示部の表示画面に表示された第１ページ目の問題ページ画面を示す説明図
【図１２】表示部の表示画面に表示された第１ページ目の問題ページ画面を示す説明図
【図１３】表示部の表示画面に表示された第１ページ目の問題ページ画面を示す説明図
【図１４】表示部の表示画面に表示された第２ページ目の問題ページ画面を示す説明図
【図１５】本発明に係る第３の学習支援システムの機能構成を示すブロック図
【図１６】第３の学習支援システムの処理手順を示すフローチャート
【図１７】表示部の表示画面に表示されたスタート画面を示す説明図
【図１８】表示部の表示画面に表示された第１ページ目の問題ページ画面を示す説明図
【図１９】表示部の表示画面に表示された第１ページ目の問題ページ画面を示す説明図
【図２０】表示部の表示画面に表示された第１ページ目の問題ページ画面を示す説明図
【図２１】表示部の表示画面に表示された第３ページ目の問題ページ画面を示す説明図
【図２２】本発明に係る第４の学習支援システムの機能構成を示すブロック図
【図２３】第４の学習支援システムの処理手順を示すフローチャート
【図２４】表示部の表示画面に表示された第１ページ目の問題ページ画面を示す説明図
【図２５】表示部の表示画面に表示された第１ページ目の問題ページ画面を示す説明図
【図２６】表示部の表示画面に表示された第１ページ目の問題ページ画面を示す説明図
【図２７】表示部の表示画面に表示された第３ページ目の問題ページ画面を示す説明図
【符号の説明】
【００８３】
10    第１の学習支援システム
12    制御部
14    記憶部
16    入出力制御部
18    入力部
20    表示部
22    お手本画像データベース
24    背景色情報データベース
26    回数情報記憶部
28    画面定義記憶部
30    漢字の指書きレッスンのスタート画面
32    指書き用の描画領域
34    背景色表示領域
34R   赤色の背景色
34Y   黄色の背景色
36    回数表示部
38    おてほんボタン
40    お手本選択画面
42    お手本選択領域
44    お手本画像一覧画面
46    漢字のお手本画像
48    なぞり書きレッスン画面
50    ＯＫボタン
52    第２の学習支援システム
54    制御部
56    記憶部
58    入出力制御部
60    入力部
62    表示部
64    問題データベース
66    背景色情報データベース
68    画面定義記憶部
70    第１ページ目の問題ページ画面
72    解答入力欄
74    背景色表示領域
74P   ピンク色の背景色
74B   青色の背景色
76    ページ表示部
77    正誤表示部
78    第２ページ目の問題ページ画面
80    第３の学習支援システム
82    制御部
84    記憶部
86    入出力制御部
88    入力部
90    表示部
92    問題データベース
94    背景色情報データベース
96    解答時間記憶部
98    画面定義記憶部
100   計算問題のスタート画面
102   スタートボタン
104   第１ページ目の問題ページ画面
106   解答入力欄
108   背景色表示領域
108P  ピンク色の背景色
108B  青色の背景色
110   ページ表示部
112   正誤表示部
114   第３ページ目の問題ページ画面
116   第４の学習支援システム
118   制御部
120   記憶部
122   入出力制御部
124   入力部
126   表示部
128   問題データベース
130   背景色情報データベース
132   正誤情報記憶部
134   画面定義記憶部
136   第１ページ目の問題ページ画面
138   解答入力欄
140   背景色表示領域
140P  ピンク色の背景色
140B  青色の背景色
142   ページ表示部
144   正誤表示部
146   第３ページ目の問題ページ画面
【図１】
2020077011.tif 000003
【図２】
2020077011.tif 000004
【図３】
2020077011.tif 000005
【図４】
2020077011.tif 000006
【図５】
2020077011.tif 000007
【図６】
2020077011.tif 000008
【図７】
2020077011.tif 000009
【図８】
2020077011.tif 000010
【図９】
2020077011.tif 000011
【図１０】
2020077011.tif 000012
【図１１】
2020077011.tif 000013
【図１２】
2020077011.tif 000014
【図１３】
2020077011.tif 000015
【図１４】
2020077011.tif 000016
【図１５】
2020077011.tif 000017
【図１６】
2020077011.tif 000018
【図１７】
2020077011.tif 000019
【図１８】
2020077011.tif 000020
【図１９】
2020077011.tif 000021
【図２０】
2020077011.tif 000022
【図２１】
2020077011.tif 000023
【図２２】
2020077011.tif 000024
【図２３】
2020077011.tif 000025
【図２４】
2020077011.tif 000026
【図２５】
2020077011.tif 000027
【図２６】
2020077011.tif 000028
【図２７】
2020077011.tif 000029